(57)【要約】【課題】映像情報に対する操作履歴から得られる不特定の利用者の感想に対応する情報を映像情報とともに出力する映像再生装置及び映像再生プログラムを提供する。【解決手段】映像再生装置１は、映像情報１１１を再生する映像情報再生手段１００と、映像情報１１１に対する感想情報１１２を映像情報１１１の再生時刻に関連付けて受け付ける感想受付手段１０１と、映像情報１１１の再生時刻について感想情報１１２を統計的に解析した感想統計情報１１３を生成する感想統計情報生成手段１０２と、感想閾値情報１１４に基づいて、感想出力情報１１５から該当する感想出力情報出力を選択し、選択した当該感想出力情報を映像情報１１１の再生時刻で同期して映像情報１１１とともに出力する感想出力手段１０３とを有する。【選択図】図１
2012060507.tif 000002
【特許請求の範囲】
【請求項１】
コンピュータを、
映像情報又は音声情報を再生する再生手段と、
前記映像情報又は前記音声情報に対する感想情報を当該映像情報又は当該音声情報の再生時刻に関連付けて受け付ける受付手段と、
前記映像情報又は前記映像情報の再生時刻について前記感想情報を統計的に解析した統計情報を生成する生成手段と、
生成した前記統計情報を、前記感想情報に対応する視覚的又は聴覚的に認識可能な出力情報に変換し、当該出力情報を前記映像情報又は前記音声情報の前記再生時刻と同期して前記映像情報又は前記音声情報に合成して出力する出力手段として機能させるための映像再生プログラム。
【請求項２】
前記受付手段は、文字情報を受け付けて、文字列と前記感想情報とを予め対応付けた対応情報に基づいて、前記文字情報を感想情報に変換して受け付ける請求項１に記載の映像再生プログラム。
【請求項３】
映像情報又は音声情報を再生する再生手段と、
前記映像情報又は前記音声情報に対する感想情報を当該映像情報又は当該音声情報の再生時刻に関連付けて受け付ける受付手段と、
前記映像情報又は前記映像情報の再生時刻について前記感想情報を統計的に解析した統計情報を生成する生成手段と、
生成した前記統計情報を、前記感想情報に対応する視覚的又は聴覚的に認識可能な出力情報に変換し、当該出力情報を前記映像情報又は前記音声情報の前記再生時刻と同期して前記映像情報又は前記音声情報に合成して出力する出力手段とを有する映像再生装置。
【発明の詳細な説明】
【技術分野】
【０００１】
本発明は、映像再生装置及び映像再生プログラムに関する。
【背景技術】
【０００２】
操作履歴に応じて操作中の操作内容を実況する音声を選択して出力する技術が提案されている。
【０００３】
これに関連する技術として、特許文献１には、仮想的なゲーム空間で実行される競技に対する利用者の操作を履歴情報として記録し、その後に利用者が競技の特定場面を操作すると、競技の特定の場面で利用者の操作内容を実況するための予め記録された複数の音声情報から履歴情報に応じて使用すべき音声情報を選択し、再生して出力する映像再生装置が開示されている。
【先行技術文献】
【特許文献】
【０００４】
【特許文献１】特開２００１−２１２３６８号公報
【発明の概要】
【発明が解決しようとする課題】
【０００５】
本発明の目的は、映像情報に対する操作履歴から得られる不特定の利用者の感想に対応する情報を映像情報とともに出力する映像再生装置及び映像再生プログラムを提供することにある。
【課題を解決するための手段】
【０００６】
［１］コンピュータを、映像情報又は音声情報を再生する再生手段と、前記映像情報又は前記音声情報に対する感想情報を当該映像情報又は当該音声情報の再生時刻に関連付けて受け付ける受付手段と、前記映像情報又は前記映像情報の再生時刻について前記感想情報を統計的に解析した統計情報を生成する生成手段と、生成した前記統計情報を、前記感想情報に対応する視覚的又は聴覚的に認識可能な出力情報に変換し、当該出力情報を前記映像情報又は前記音声情報の前記再生時刻と同期して前記映像情報又は前記音声情報に合成して出力する出力手段として機能させるための映像再生プログラム。
【０００７】
［２］前記受付手段は、文字情報を受け付けて、予め定めた文字列と前記感想情報とを対応付けた対応情報に基づいて、前記文字情報を感想情報に変換して受け付ける前記［１］に記載の映像再生プログラム。
【０００８】
［３］映像情報又は音声情報を再生する再生手段と、前記映像情報又は前記音声情報に対する感想情報を当該映像情報又は当該音声情報の再生時刻に関連付けて受け付ける受付手段と、前記映像情報又は前記映像情報の再生時刻について前記感想情報を統計的に解析した統計情報を生成する生成手段と、生成した前記統計情報を、前記感想情報に対応する視覚的又は聴覚的に認識可能な出力情報に変換し、当該出力情報を前記映像情報又は前記音声情報の前記再生時刻と同期して前記映像情報又は前記音声情報に合成して出力する出力手段とを有する映像再生装置。
【発明の効果】
【０００９】
請求項１及び３に係る発明によれば、映像情報に対する操作履歴から得られる不特定の利用者の感想に対応する情報を映像情報とともに出力することができる。
【００１０】
請求項２に係る発明によれば、文字情報を受け付けて映像情報に対する不特定の利用者の感想に対応する情報を映像情報とともに出力することができる。
【図面の簡単な説明】
【００１１】
【図１】図１は、第１の実施の形態に係る映像再生装置の構成例を示すブロック図である。
【図２】図２は、感想情報の一例を示す概略図である。
【図３】図３は、感想統計情報の一例を示す概略図である。
【図４】図４は、感想閾値情報の一例を示す概略図である。
【図５】図５は、映像再生装置の映像及び感想再生動作の一例を示す概略図である。
【図６】図６は、映像再生装置の動作例を示すフローチャートである。
【図７Ａ】図７Ａは、第２の実施の形態に係る映像再生装置の構成例を示すブロック図である。
【図７Ｂ】図７Ｂは、感想対応情報の構成例を示す概略図である。
【図８】図８は、第３の実施の形態に係る映像再生装置の映像及び感想再生動作の一例を示す概略図である。
【図９】図９（ａ）及び（ｂ）は、第４の実施の形態に係る映像再生装置１の映像及び感想再生動作の一例を示す概略図である。
【発明を実施するための形態】
【００１２】
［第１の実施の形態］
（映像再生装置の構成）
図１は、第１の実施の形態に係る映像再生装置の構成例を示すブロック図である。
【００１３】
映像再生装置１は、ＣＰＵ（Ｃｅｎｔｒａｌ  Ｐｒｏｃｅｓｓｉｎｇ  Ｕｎｉｔ）等から構成され各部を制御するとともに各種のプログラムを実行する制御部１０と、ＨＤＤ（Ｈａｒｄ  Ｄｉｓｋ  Ｄｒｉｖｅ）やフラッシュメモリ等の記憶媒体であって情報を記憶する記憶部１１と、液晶ディスプレイ等であって文字や画像を表示する表示部１２と、スピーカー等であって音声を出力する音声再生部１３と、キーボードやマウス等であって操作に応じた操作信号を発する入力部１４とを備える。
【００１４】
なお、映像再生装置１は、例えば、パーソナルコンピュータやＰＤＡ、携帯電話等の電子機器であるが、表示部１２や音声再生部１３、入力部１４を備えないサーバ装置のようなものでもよく、その場合はネットワーク等により接続された端末装置の表示部や音声再生部、操作部がそれらの機能を代替する。
【００１５】
制御部１０は、後述する映像再生プログラム１１０を実行することで、映像情報再生手段１００、感想受付手段１０１、感想統計情報生成手段１０２及び感想出力手段１０３等として機能する。
【００１６】
映像情報再生手段１００は、後述する映像情報１１１を再生し、映像信号を出力する。なお、映像情報再生手段１００は、映像情報１１１のうち音声情報のみ再生してもよいし、音声情報を再生してもよい。
【００１７】
感想受付手段１０１は、映像情報再生手段１００において映像情報１１１の再生中に、利用者によって入力部１４を介して入力された感想を映像情報１１１の再生時刻とともに感想情報１１２として記憶部１１に記憶する。
【００１８】
感想統計情報生成手段１０２は、感想情報１１２を感想の種類毎に統計解析し、後述する感想統計情報１１３を生成する。
【００１９】
感想出力手段１０３は、映像情報再生手段１００において映像情報１１１の再生中に感想統計情報１１３及び後述する感想閾値情報１１４に基づいて後述する感想出力情報１１５から選択される感想を音声再生部１３を介して出力する。
【００２０】
記憶部１１は、制御部１０を上述した各手段１００〜１０３として動作させる映像再生プログラム１１０と、映像を再生表示するためのＭＰＥＧやＶＯＢ等の動画データである映像情報１１１と、感想受付手段１０１によって受け付けられた感想情報１１２と、感想統計情報生成手段１０２によって生成された感想統計情報１１３と、感想統計情報１１３の値に対する閾値を定義する感想閾値情報１１４と、感想に対応して音声情報等を複数含む感想出力情報１１５とを記憶する。
【００２１】
図２は、感想情報１１２の一例を示す概略図である。
【００２２】
感想情報１１２は、利用者によって入力部１４を介して入力された感想を示す情報であり、映像情報１１１の再生時刻を示す映像再生時刻欄１１２ａと、感想を入力した「利用者１」の「拍手」、「ブーイング」、「歓声」、「笑い」等の感想を示す利用者１欄１１２ｂと、「利用者２」の感想を示す利用者２欄１１２ｃと、「利用者３」の感想を示す利用者３欄１１２ｄとを有する。なお、利用者の数には制限はない。また、同一の利用者であっても複数回視聴した場合は、異なる利用者として扱い、受け付けた感想を追加してもよい。
【００２３】
図３は、感想統計情報１１３の一例を示す概略図である。
【００２４】
感想統計情報１１３は、感想統計情報生成手段１０２によって感想情報１１２を統計解析した情報であり、映像情報１１１の再生時刻を示す映像再生時刻欄１１３ａと、感想として「拍手」を選択した利用者の割合を示す拍手感想支持率欄１１３ｂと、感想として「ブーイング」を選択した利用者の割合を示すブーイング感想支持率欄１１３ｃと、感想として「歓声」を選択した利用者の割合を示す歓声感想支持率欄１１３ｄと、感想として「笑い」を選択した利用者の割合を示す笑い感想支持率欄１１３ｅとを有する。なお、感想の割合は、映像情報１１１を視聴した全ての利用者数に対する、その感想を入力した利用者数によって定まる。
【００２５】
図４は、感想閾値情報１１４の一例を示す概略図である。
【００２６】
感想閾値情報１１４は、予め設計者等によって設定される感想支持率に対する閾値の情報であり、感想支持率の数値範囲を示す感想支持率欄１１４ａと、拍手の感想支持率に対して感想出力手段１０３が出力する感想出力情報１１５の内容を示す拍手欄１１４ｂと、ブーイングの感想支持率に対して感想出力手段１０３が出力する感想出力情報１１５の内容を示すブーイング欄１１４ｃと、歓声の感想支持率に対して感想出力手段１０３が出力する感想出力情報１１５の内容を示す歓声欄１１４ｄと、笑いの感想支持率に対して感想出力手段１０３が出力する感想出力情報１１５の内容を示す笑い欄１１４ｅとを有する。
【００２７】
（映像再生装置の動作）
以下に、映像再生装置１の動作例を図１〜図６を参照しつつ、（１）基本動作、（２）感想受付動作、（３）感想統計及び再生動作に分けて説明する。
【００２８】
（１）基本動作
まず、視聴者は、映像再生装置１の入力部１４を操作して、映像情報１１１の再生を指示する。入力部１４は、映像情報１１１の再生を指示する操作信号を制御部１０に出力する。
【００２９】
映像再生装置１の制御部１０が、入力部１４から操作信号を受け付けると、映像情報再生手段１００は、映像情報１１１を再生して映像信号を表示部１２に出力する。
【００３０】
なお、感想情報１１２及び感想統計情報１１３が存在する場合、同時に感想出力手段１０３によって感想出力情報１１５に含まれる感想が出力されるが、初回の再生時等であって感想情報１１２及び感想統計情報１１３が存在する場合は、映像情報１１１のみ再生される。感想出力手段１０３の動作は、（３）感想統計及び再生動作において説明する。
【００３１】
次に、表示部１２は、映像情報再生手段１００が出力した映像信号を入力し、映像を表示する。
【００３２】
（２）感想受付動作
利用者は（例えば、「利用者１」とする。）、表示部１２に表示される映像を視聴しながら、入力部１４を介して感想を入力する。本実施の形態においては、例えば、入力部１４に「拍手」、「ブーイング」、「歓声」及び「笑い」の感想に該当するボタンスイッチが備えられており、利用者は、それらのいずれかを押すことによって感想を入力する。入力部１４は、感想の入力を指示する操作信号を制御部１０に出力する。
【００３３】
制御部１０が入力部１４から操作信号を受け付けると、感想受付手段１０１は、入力部１４を介して感想が入力されると、入力された時点の映像情報１１１の再生時刻を図２に示す感想情報１１２の映像再生時刻欄１１２ａに入力し、入力された感想の種類を利用者１欄１１２ｂに入力する。
【００３４】
以上の（２）感想受付動作は、映像情報１１１の再生の度に繰り返され、利用者欄を追加して複数の利用者の感想が感想情報１１２に入力される。
【００３５】
（３）感想統計及び再生動作
図６は、映像再生装置１の動作例を示すフローチャートである。
【００３６】
まず、映像再生装置１の制御部１０は、入力部１４から映像情報１１１の再生を指示する操作信号を受け付けると、映像情報再生手段１００によって映像情報１１１を再生して映像信号を出力する（Ｓ１）。
【００３７】
次に、感想統計情報生成手段１０２は、感想情報１１２を、例えば、統計処理により解析し（Ｓ２）、視聴した利用者数に対する各感想の種類を入力した利用者数の割合を映像再生時刻毎に算出し、感想統計情報１１３を生成する（Ｓ３）。
【００３８】
なお、感想統計動作（ステップＳ２及びＳ３）は、映像情報１１１の再生中の他、映像情報１１１の再生前に予め行ってもよい。また、感想統計動作は、感想情報１１２に新たな利用者が追加されて感想が入力される度に解析しなおす。
【００３９】
次に、感想出力手段１０３は、感想統計情報生成手段１０２が生成した感想統計情報１１３の映像再生時刻欄１１３ａの再生時刻と、映像情報１１１の再生時刻とを同期して感想に対応した出力音声を音声再生部１３から出力する（Ｓ４）。なお、出力音声は、感想閾値情報１１４に基づいて感想統計情報１１３の感想支持率１１３ｂ〜１１３ｅに応じて決定される。具体例を以下に説明する。
【００４０】
図５は、映像再生装置１の映像及び感想再生動作の一例を示す概略図である。
【００４１】
表示部１２に表示される出力映像１２０ａ、１２０ｂ、１２０ｃ…は、それぞれ映像情報１１１の映像再生時刻が「００：００：００」、「００：０１：００」、「００：０１：３０」のものである。
【００４２】
感想統計情報１１３の映像再生時刻欄１１３ａが「００：００：００」において、ブーイング感想支持率欄１１３ｃが「２０％」、歓声感想支持率欄１１３ｄが「１％」及び笑い感想支持率欄１１３ｅが「４０％」であるので、感想出力手段１０３は、音声再生部１３から出力音声１３０ａとして、図４に示す感想閾値情報１１４のブーイング欄１１４ｃを参照して「２００人のブーイング」、歓声欄１１４ｄを参照して「該当せず」及び笑い欄１１４ｅを参照して「２００人の笑い」を出力する。
【００４３】
以下、同様に感想統計情報１１３の映像再生時刻欄１１３ａが「００：０１：００」において、拍手感想支持率欄１１３ｂが「３０％」であるので、感想出力手段１０３は、音声再生部１３から出力音声１３０ｂとして、感想閾値情報１１４の拍手欄１１４ｂを参照して「２００人の拍手」を出力する。
【００４４】
また、感想統計情報１１３の映像再生時刻欄１１３ａが「００：０１：３０」において、拍手感想支持率欄１１３ｂが「４０％」、歓声感想支持率欄１１３ｄが「３％」及び笑い感想支持率欄１１３ｅが「２０％」であるので、感想出力手段１０３は、音声再生部１３から出力される出力音声１３０ｃは、感想閾値情報１１４の拍手欄１１４ｂを参照して「２００人の拍手」、歓声欄１１４ｄを参照して「該当せず」及び笑い欄１１４ｅを参照して「２００人の笑い」を出力する。
【００４５】
［第２の実施の形態］
図７Ａは、第２の実施の形態に係る映像再生装置の構成例を示すブロック図である。第２の実施の形態は、利用者の操作により入力される感想情報を受け付ける代わりに、感想を示すテキスト情報である感想テキスト情報を受け付ける点で第１の実施の形態と異なる。
【００４６】
映像再生装置１は、第１の実施の形態の構成に加え、外部から受け付けるテキスト情報を感想情報１１２に変換するための感想対応情報１１６を記憶部１１に格納する。
【００４７】
感想受付手段１０１は、テキスト情報として、入力部１４を介して外部から感想テキスト情報１４０を受け付け、感想対応情報１１６に基づいて感想情報１１２に変換する。なお、感想テキスト情報１４０は、キーボード等を用いて受付と同時に入力されるものでもよいし、予め入力されたテキスト情報を受け付けるものであってもよい。予め入力されたテキスト情報を受け付ける場合は、そのテキスト情報に予め映像情報の再生時刻が関連付けられているものとする。
【００４８】
図７Ｂは、感想対応情報１１６の構成例を示す概略図である。
【００４９】
感想対応情報１１６は、設計者等によって予め定められる情報であり、感想テキスト情報１４０に含まれる感想テキストを示す感想テキスト欄１１６ａと、感想テキストに対応する感想カテゴリを示す感想カテゴリ欄１１６ｂとを有する。
【００５０】
感想受付手段１０１は、例えば、感想テキスト情報１４０に含まれる感想テキストの内容が「すごい」であった場合、感想対応情報１１６を参照し、感想テキスト欄１１６ａから「すごい」を検索し、「すごい」に対応する感想カテゴリ欄１１６ｂを参照して感想カテゴリ「拍手」の感想情報１１２として受け付ける。つまり、感想受付手段１０１は、感想テキスト情報１４０を感想情報１１２に変換して受け付ける。
【００５１】
以降の動作は、第１の実施の形態において説明した（３）感想統計及び再生動作を実行する。
【００５２】
［第３の実施の形態］
図８は、第３の実施の形態に係る映像再生装置１の映像及び感想再生動作の一例を示す概略図である。第３の実施の形態は、感想出力情報１１５の内容が音声情報ではなく、映像又は画像情報である点で第１の実施の形態と異なる。
【００５３】
なお、（１）基本動作、（２）感想受付動作については、第１の実施の形態又は第２の実施の形態と同様であるとする。
【００５４】
表示部１２に表示される出力映像１２０ａ、１２０ｂ、１２０ｃ…は、それぞれ映像情報１１１の映像再生時刻が「００：００：００」、「００：０１：００」、「００：０１：３０」のものである。
【００５５】
同様に表示部１２に表示される出力映像１２１ａ、１２１ｂ、１２１ｃ…は、出力映像１２０ａ、１２０ｂ、１２０ｃ…に同期されて表示される映像であり、出力映像１２０ａ、１２０ｂ、１２０ｃ…に重畳されて表示される。表示される内容は、図５に示す出力音声１３０ａ、１３０ｂ、１３０ｃ…と対応する内容を映像化したものである。なお、出力音声１３０ａ、１３０ｂ、１３０ｃ…の出力と合わせて表示するものであってもよい。
【００５６】
［第４の実施の形態］
図９（ａ）及び（ｂ）は、第４の実施の形態に係る映像再生装置１の映像及び感想再生動作の一例を示す概略図である。第４の実施の形態は、感想受付手段１０１が受け付ける感想が指示カーソルで指示された履歴であり、感想出力情報が指示された履歴に応じた映像効果である点で第１の実施の形態と異なる。
【００５７】
なお、（１）基本動作、（２）感想受付動作については、第１の実施の形態又は第２の実施の形態と同様であるとする。
【００５８】
表示部１２に表示される出力映像１２０ｄは、図９（ａ）に示すように、利用者の入力部１４に対する操作に応じて移動する指示カーソル１４１を有する。利用者は、指示カーソル１４１によって出力映像１２０ｄの注目する領域を指示するものとする。
【００５９】
感想受付手段１０１は、指示カーソル１４１の指示する位置座標を感想情報１１２として受け付けて記録する。なお、感想受付手段１０１は、複数の利用者の指示する位置座標を感想情報１１２として追加して記録する。
【００６０】
感想統計情報生成手段１０２は、感想情報１１２を解析し、出力映像１２０ｄの表示領域の位置座標すべてについて指示カーソル１４１によって指示される頻度を算出し、感想統計情報１１３として生成する。
【００６１】
感想出力手段１０３は、感想閾値情報１１４に予め定められた頻度以上で指示された位置座標を感想統計情報１１３から抽出し、その座標を感想出力情報１１５に設定されたハイライト効果によって映像情報再生手段１００が出力する出力映像１２０ｄを加工し、図９（ｂ）に示すように、ハイライト１２２を有する出力映像１２０ｅを出力する。
【００６２】
出力映像１２０ｅを視聴中の利用者は、出力映像１２０ｅのうち以前に視聴した利用者が注目していた領域を知得する。
【００６３】
［他の実施の形態］
なお、本発明は、上記実施の形態に限定されず、本発明の要旨を逸脱しない範囲で種々な変形が可能である。
【００６４】
また、上記映像再生プログラム１１０をＣＤ−ＲＯＭ等の記憶媒体に格納して提供することも可能であり、インターネット等のネットワークに接続されているサーバ装置等から装置内の記憶部にダウンロードしてもよい。また、映像情報再生手段１００、感想受付手段１０１、感想統計情報生成手段１０２及び感想出力手段１０３の一部又は全部をＡＳＩＣ等のハードウェアによって実現してもよい。なお、上記実施の形態の動作説明で示した各ステップは、順序の変更、ステップの省略、追加が可能である。
【符号の説明】
【００６５】
１…映像再生装置、１０…制御部、１１…記憶部、１２…表示部、１３…音声再生部、１４…入力部、１００…映像情報再生手段、１０１…感想受付手段、１０２…感想統計情報生成手段、１０３…感想出力手段、１１０…映像再生プログラム、１１１…映像情報、１１２…感想情報、１１３…感想統計情報、１１４…感想閾値情報、１１５…感想出力情報、１１６…感想対応情報、１２２…ハイライト、１４０…感想テキスト情報、１４１…指示カーソル
【図１】
2012060507.tif 000003
【図２】
2012060507.tif 000004
【図３】
2012060507.tif 000005
【図４】
2012060507.tif 000006
【図５】
2012060507.tif 000007
【図６】
2012060507.tif 000008
【図７Ａ】
2012060507.tif 000009
【図７Ｂ】
2012060507.tif 000010
【図８】
2012060507.tif 000011
【図９】
2012060507.tif 000012